(57)【要約】【課題】電装基板の取付にネジを使わず、組立分解の作業性が良く、サービス性が良好な電装部を提供する。【解決手段】電装部１１は、樹脂材からなり電装基板１２を収納する上面が開放された電装基板収納ケース１３と、板金からなり電装基板収納ケース１３を収容保持する上面が開放された電装品箱１４と、電装基板収納ケース１３の上面から被せられる電装蓋１５とからなっており、電装品箱１４の平行する前後の側壁に開口部１４ａを設け、同開口部１４ａと対峙する電装基板収納ケース１３の側壁に、スリットによる舌片１３ａを形成する一方、開口部１４ａと対峙する電装蓋１５の側壁に舌片１３ａを内側に押圧する押圧部１５ａを設け、同押圧部１５ａに押されて屈曲する舌片１３ａにより電装基板収納ケース１３に収納された電装基板１２を押さえて保持する。【選択図】  図２
2004333024.tif 000002
【特許請求の範囲】
【請求項１】
電装基板を収納する上面が開放された電装基板収納ケースと、前記電装基板収納ケースを収容保持する上面が開放された電装品箱と、前記電装基板収納ケースの上面から被せられる電装蓋とにより構成してなる電装部において、
前記電装品箱の側壁に開口部を設け、同開口部と対峙する前記電装基板収納ケースの側壁に、スリットによる舌片を形成する一方、前記開口部と対峙する前記電装蓋の側壁に前記舌片を内側に押圧する押圧部を設け、同押圧部に押されて屈曲する前記舌片により前記電装基板収納ケースに収納された電装基板を保持するようにしてなることを特徴とする電装部。
【請求項２】
室外機本体内に、熱交換器、送風ファン、圧縮機および電装部とを具備し、同電装部を、電装基板を収納する上面が開放された電装基板収納ケースと、前記電装基板収納ケースを収容保持する上面が開放された電装品箱と、前記電装基板収納ケースの上面から被せられる電装蓋とにより構成してなるものにおいて、
前記電装品箱の側壁に開口部を設け、同開口部と対峙する前記電装基板収納ケースの側壁に、スリットによる舌片を形成する一方、前記開口部と対峙する前記電装蓋の側壁に前記舌片を内側に押圧する押圧部を設け、同押圧部に押されて屈曲する前記舌片により前記電装基板収納ケースに収納された電装基板を保持するようにしてなることを特徴とする室外機。
【請求項３】
前記舌片の内面に前記電装基板を挟持する挟持部を形成してなる請求項１または２記載の室外機。
【発明の詳細な説明】
【０００１】
【発明の属する技術分野】
本発明は電装部およびそれを利用した室外機に係わり、詳しくは、電装部の組立をより簡略化した同電装部の構造に関する。
【０００２】
【従来の技術】
空気調和機の室外機において、その本体は例えば図１に示すような底板（ベース）１と、外胴からなり、この外胴は左側板２ａが一体に形成された前面カバー２と、Ｌ字状に形成された右側板３と、上面カバー４等で構成されており、本体内は底板１上に立設された仕切板５によって熱交換室６と機械室７とに区画され、熱交換室６には熱交換器８と、同熱交換器８により熱交換された空気を外部に送出する送風ファン９が配置され、一方の機械室７にはその下部に圧縮機１０が配置され、その上方に圧縮機１０および送風ファン（送風機）９等の運転制御を行う電装品を収めた電装部１１が配置されている。
【０００３】
電装部１１は、例えば図７に示すように、樹脂材からなり電装基板１２を収納する上面が開放された電装基板収納ケース１３と、板金からなり電装基板収納ケース１３を収容保持する上面が開放された電装品箱１４と、電装基板収納ケース１３の上面から被せられる箱状の電装蓋１５とからなり、電装基板１２の取付けには複数本のネジ１６を用いるようになっていたので作業性が悪いという問題があった。なお、これと類似した問題点を有し、それを解消しようとした例としては（例えば、特許文献１参照）がある。
【０００４】
【特許文献１】
特開２０００ー７４４２２号公報（第３頁、第３図）
【０００５】
【発明が解決しようとする課題】
本発明においては、上記の問題点に鑑み、電装基板の取付にネジを使わず、組立分解の作業性が良く、サービス性が良好な電装部を提供することを目的としている。
【０００６】
【課題を解決するための手段】
本発明は、上記問題点を解決するため、電装基板を収納する上面が開放された電装基板収納ケースと、前記電装基板収納ケースを収容保持する上面が開放された電装品箱と、前記電装基板収納ケースの上面から被せられる電装蓋とにより構成してなる電装部において、
前記電装品箱の側壁に開口部を設け、同開口部と対峙する前記電装基板収納ケースの側壁に、スリットによる舌片を形成する一方、前記開口部と対峙する前記電装蓋の側壁に前記舌片を内側に押圧する押圧部を設け、同押圧部に押されて屈曲する前記舌片により前記電装基板収納ケースに収納された電装基板を保持するようにした構成となっている。
【０００７】
室外機本体内に、熱交換器、送風ファン、圧縮機および電装部とを具備し、同電装部を、電装基板を収納する上面が開放された電装基板収納ケースと、前記電装基板収納ケースを収容保持する上面が開放された電装品箱と、前記電装基板収納ケースの上面から被せられる電装蓋とにより構成してなるものにおいて、
前記電装品箱の側壁に開口部を設け、同開口部と対峙する前記電装基板収納ケースの側壁に、スリットによる舌片を形成する一方、前記開口部と対峙する前記電装蓋の側壁に前記舌片を内側に押圧する押圧部を設け、同押圧部に押されて屈曲する前記舌片により前記電装基板収納ケースに収納された電装基板を保持するようにした構成となっている。
【０００８】
前記舌片の内面に前記電装基板を挟持する挟持部を形成した構成となっている。
【０００９】
【発明の実施の形態】
以下、本発明の実施の形態を図１〜図６に基づいて説明する。
図１は空気調和機の室外機の概略構成を示したもので、同室外機の本体は底板（ベース）１と、外胴からなり、この外胴は左側板２ａと連続して形成された前面カバー２と、Ｌ字状に形成された右側板３と、上面カバー４等で構成されており、本体内は底板１上に立設された仕切板５によって熱交換室６と機械室７とに区画され、熱交換室６には熱交換器８と、同熱交換器８により熱交換された空気を外部に送出する送風ファン９が配置され、一方の機械室７にはその下部に圧縮機１０が配置され、その上方に圧縮機１０および送風ファン（送風機）９等の運転制御を行うための電装品を収めた電装部１１が配置されている。
【００１０】
電装部１１は、図２に示すように、樹脂材からなり電装基板１２を収納する上面が開放された電装基板収納ケース１３と、板金からなり電装基板収納ケース１３を収容保持する上面が開放された電装品箱１４と、電装基板収納ケース１３の上面から被せられる電装蓋１５とからなっており、電装品箱１４の平行する前後の側壁に開口部１４ａを設け、同開口部１４ａと対峙する電装基板収納ケース１３の側壁に、スリットによる舌片１３ａを形成する一方、開口部１４ａと対峙する電装蓋１５の側壁に舌片１３ａを内側に押圧する押圧部１５ａを設け、同押圧部１５ａに押されて屈曲する舌片１３ａにより電装基板収納ケース１３に収納された電装基板１２を押さえて保持するようになっている。
【００１１】
図３と図４は以上説明した第１の実施の要部形態を拡大図示したもので、図３は電装蓋１５が被せられる前、図４は電装蓋１５が被せられた後を示しており、電装品箱１４に収容された電装基板収納ケース１３に電装蓋１５が被せられると電装基板収納ケース１３の側壁に形成された舌片１３ａが電装蓋１５に形成された押圧部１５ａで押されて内側に屈曲し、その先端が支持部１３ｂで支持されている電装基板１２よりも高位置となり、電装基板１２を押さえて保持するようになる。なお、電装蓋１５は着脱が可能で、同電装蓋１５が外された場合、舌片１３ａは弾性により元の位置に戻るので、電装基板１２の保守点検や交換も簡単に行うことができる。
【００１２】
図５の（Ａ）、（Ｂ）は第２の実施の形態を示したもので、前者との違いは舌片１３ａの先端部内面に、電装基板１２の端部を挟持する挟持部１３ｃを一体に形成したことである。このような挟持部１３ｃを有する舌片１３ａであれば、より確実に電装基板１２を保持することができる。
【００１３】
図６の（Ａ）、（Ｂ）は第３の実施の形態を示したもので、前二者との違いは電装基板１２を保持するのではなく、電装基板収納ケース１３の一側内部に位置するリード線１７の動きを規制するようにしたことである。原理的には前記第１の実施の形態に似ており、違いは電装基板収納ケース１３の側壁に設ける舌片１３ａを上下反転させた形態にしたことである。このような舌片１３ａを備えていれば電装蓋１５が被せられるとその押圧部１５ａで舌片１３ａが内側に倒され、内部のリード線１７の動きが規制される。
【００１４】
【発明の効果】
以上説明したような構成からなる電装部であれば、その電装蓋を被せたとき、電装基板収納ケースの側壁に設けられた舌片が内側に傾斜し、電装基板を保持したり、リード線の動きを規制するようになっているので、ネジ止めの作業が省かれ、組立、分解が容易でサービス性が良く、コストの低減が図れる。
【図面の簡単な説明】
【図１】本発明および従来例に係わる空気調和機の室外機の概略構成を示す斜視図である。
【図２】本発明の第１の実施の形態を示す電装部の概略構成斜視図である。
【図３】本発明の第１の実施の形態を示す要部拡大斜視図である。
【図４】本発明の第１の実施の形態を示す要部組立側断面図である。
【図５】本発明の第２の実施の形態を示したもので、（Ａ）はその要部斜視図、（Ｂ）は組立側断面図である。
【図６】本発明の第３の実施の形態を示したもので、（Ａ）はその要部斜視図、（Ｂ）は組立側断面図である。
【図７】従来の形態を示す電装部の概略構成斜視図である。
【符号の説明】
１１  電装部
１２  電装基板
１２ａ  電装品
１３  電装基板収納ケース
１３ａ  舌片
１３ｂ  支持部
１３ｃ  挟持部
１４  電装品箱
１４ａ  開口部
１５  電装蓋
１５ａ  押圧部
１７  リード線
【図１】
2004333024.tif 000003
【図２】
2004333024.tif 000004
【図３】
2004333024.tif 000005
【図４】
2004333024.tif 000006
【図５】
2004333024.tif 000007
【図６】
2004333024.tif 000008
【図７】
2004333024.tif 000009